(57)【要約】      （修正有）【課題】一見して小物類の名前（小物名）、使用手順が分かりやすく、また小物類の忘れ物がなくなり、収納しやすく時間短縮となり、且つ、小物類を間違いなく要領よく着用しやすくなる和装小物類の管理携帯バッグを提供する。【解決手段】両開き型のバッグ本体１の中に開閉中心で反転できるように仕切りパネル３を内装し、バッグ本体と仕切りパネルとに着物に付属する和装小物類を個別に収納するそれぞれのポケット９を配設し、小物類のポケットには、小物の種類が判別できる実物写真２１の添付部と小物名の記載部とを設けた。【選択図】図１
0003224542.tif 000002
【実用新案登録請求の範囲】
【請求項１】
両開き型のバッグ本体の中に開閉中心で反転できるように仕切りパネルを内装し、バッグ本体と仕切りパネルとに着物に付属する和装小物類を個別に収納するそれぞれのポケットを配設し、小物類のポケットには、小物の種類が判別できる実物写真の添付部と小物名の記載部とを設けたことを特徴とする着付けに使用する和装小物類の管理携帯バッグ。
【請求項２】
和装小物類を一目で判別して取り出しできるよう小物名の近くに使用順番の表示を設けたことを特徴とする請求項１記載の和装小物類の管理携帯バッグ。
【請求項３】
和装小物類を収納するポケットには、小物類のはみ出しを防止するゴムバンドを口押えに設けたことを特徴とする請求項１又は２記載の和装小物類の管理携帯バッグ。
【考案の詳細な説明】
【技術分野】
【０００１】
この考案は、伊達締め、帯締め，たびなどの小物類について、着物とともに都合よく管理して携帯できるようにした和装小物類の管理携帯バッグに関するものである。
【背景技術】
【０００２】
着物の着付けには、帯締め、たび、伊達締めなどを必要とするため、和装をする立場の人は小物類を予め所持して場に臨むこととしており、その場合には、和装小物類の紛失防止を兼ねる携帯バッグが使用される。
【０００３】
従来のこの種和装小物類の携帯バッグは、持ち運びできるバッグに幾つものポケットを設け、ポケットの口に小物類を止める伸縮バンドを配列したものであった。
【先行技術文献】
【特許文献】
【０００４】
【特許文献１】特開２００２−３３０８１３
【考案の概要】
【考案が解決しようとする課題】
【０００５】
従来の携帯バッグによれば、和装の着付けの際に、数多くの小物類から必要なものを順番に取り出すが、名前（小物名）が一致しないためさがすのが大変で、そのため着付け準備に時間がかかり、揃えたつもりでも忘れ物が多かった。しかも使用後は乱雑になるため始末しにくく、小物類に紛失するものがでて、着付けが難しく面倒になっていた。
【０００６】
また、従来のものは、大小さまざまに似たような着物、小物類を不規則にまとまりなく収納していたから、何をどのような手順でどのような個所に収納するかということが分かりにくかったので、使用するとき取り出しに手間が掛かり、ほかと間違うことも多かった。使用後においても何を何処にどのように収納してよいか分かりにくかったため、段取り良く、かさばらず、美しくというようには収納できなかった。また、小物類が紛失していても気が付きにくく分かりづらかった。
【０００７】
本考案は、上記のような実情に鑑みて、一見して小物類の名前（小物名）、使用手順が分かりやすく、また小物類の忘れ物がなくなり、収納しやすく時間短縮となり、且つ、小物類を間違いなく要領よく着用しやすくなる和装小物類の管理携帯バッグを提供することを課題とした。
【課題を解決するための手段】
【０００８】
上記の課題を解決するために、本考案は、両開き型のバッグ本体の中に開閉中心で反転できるように仕切りパネルを内装し、バッグ本体と仕切りパネルとに着物に付属する和装小物類を個別に収納するそれぞれのポケットを配設し、小物類のポケットには、小物の種類が判別できる実物写真の添付部と小物名の記載部とを設けたことを特徴とする着付けに使用する和装小物類の管理携帯バッグを提供する。
【０００９】
和装小物類の管理携帯バッグを上記のように構成したから、バッグ本体と増設の仕切パネルに必要なだけの着付け情報を載せることに成功したもので、小物類の形状に合った収納ポケットを個別に設けてあるため、使用においては、各ポケットに例えば「あ、い、う、え、お」などの使用順番に合わせて、小物類実物写真を貼っておくことにより、着付けにおいて順番通り小物類を身に着けることができる。
【考案の効果】
【００１０】
各ポケットの写真と名前、順番を見ることで一目で小物類の着用手順が要領よくわかり、また、小物類一つ一つポケット化した中に収納することで、忘れ物がなくなり、出し入れしやすくなる。しかも、ポケットに順番をつけたことで、正しい手順をまよわなくなり、着付けの時間短縮になり、また、パネル仕切りを作り、パネルにも区分別順番号を記載することにより、一層明確に手順、使用場所が分かり不安感がなくなり、着物に対するイメージが良くなるという優れた効果がある。
【図面の簡単な説明】
【００１１】
【図１】この考案の和装小物類の管理携帯バックを小物類の取り出し時の両開き状にして示す展開斜視図である。
【図２】同バッグの携帯時の包装状態を示す側面図である。
【図３】同バッグにおける一部収納ポケットの拡大平面図である。
【図４】図３のＡ−Ａ線矢視の断面図である。
【考案を実施するための形態】
【００１２】
この考案では、本体は持ち運びできるようバッグ型式にし、全体を見開きしやすく全開に展開され、中にパネル状にした収納仕切りを設ける。本体と仕切りパネルに小物類の形状に合った各ポケットを作る。各ポケット面には、小物類の実物写真、名前、着付け順番号を貼り付ける。
【００１３】
収納ポケットには、着付け進行順に区分別順番も付けられる。小物類が順序良く納まるよう、ネットなどで透けて見えるポケットにしてもよい。軽いものにし、取り出し口には食み出し防止にゴムバンドなどを取り付ける。
【実施例】
【００１４】
和装小物類の管理携帯バックＰは、二つ折りに開閉できる側板２，２からなるバッグ本体１と、二つ折りして閉じられる一対の仕切りパネル３、３とからなり、バッグ本体１の開閉折れ中線に合わせて仕切パネル３、３がとじ込みに連結される。バッグ本体１は、スライドファスナー５により左右が開閉できるようになっておいる。図２は、バッグの閉じた状態を示す。
【００１５】
バッグ１の左右側板２，２と、その間に挟まれる仕切パネル３，３には、これを下地８とし５主に小物類７の収納ポケット９，９、・・が配列され、適当な配分において、着物や長じゅばんを着用の空白部１１，１２が設けられる。
【００１６】
収納ポケット９は、下地８に上カバーがかぶせる様に取り付けることにより構成され、小物類７の出入口１０には、口部を押えるゴムバンド１９が設けられる。また、上カバーには、収納する小物類７の実物写真２１が添着され、その近くには小物類７の使用順番２３が「あ、い、う、え、お」順に記載される。なお、これは数字、ローマ字など他の記号であっても良いことはもちろんである。また、この記号に隣接してポケット９の上に小物類の小物名２２が記載されるので、小物名に応じた和装小物類７が適宜都合よく挿入される。出し入れの際には、ゴムバンド１９を持ちあげて口１０が開かれる。しかし常時閉のため、包装中（図２）に、小物類７が他の所に紛れ込むようなことは決してなく、小物類の使用順番が安定して確保される。
【符号の説明】
【００１７】
Ｐ  和装小物類の管理携帯バッグ
１  バッグ本体
２  側板
３  仕切パネル
７  小物類
９  収納ポケット
１０  出入口
１９  ゴムバンド
２１  写真
２２  小物名
２３  順番
【図１】
0003224542.tif 000003
【図２】
0003224542.tif 000004
【図３】
0003224542.tif 000005
【図４】
0003224542.tif 000006